(57)【要約】【課題】  地上アナログ放送波の信号だけでなく，地上ディジタル放送信号のように，同一方向から電界強度の大きな信号が入力されることで，前記増幅装置の入力レベルが高くなり，受信画面に妨害が発生する。【解決手段】  入力端子と出力端子とを有し，前記入力端子と出力端子との間には，特定の信号の周波数帯を通過させるフィルタ手段を備えた第１の伝送経路と，前記特定の信号より低い周波数帯の信号を通過させるフィルタ手段を備えた第２の伝送経路と，前記特定の信号より高い周波数帯の信号を通過させるフィルタ手段を備えた第３の伝送経路と，が並列に接続され，前記第２の伝送経路及び前記第３の伝送経路には，夫々にレベル調整手段を備え，前記第２の伝送経路を通過する信号と，前記第３の伝送経路を通過する信号は，前記第１の伝送経路を通過する信号に対して個別にレベル調整可能にしたフィルタ装置。該フィルタ装置を備えた増幅装置及び受信システム。【選択図】  図１
2006042084.tif 000002
【特許請求の範囲】
【請求項１】
フィルタ装置において，
入力端子と出力端子とを有し，前記入力端子と出力端子との間には，
特定の信号の周波数帯を通過させるフィルタ手段を備えた第１の伝送経路と，
前記特定の信号より低い周波数帯の信号を通過させるフィルタ手段を備えた第２の伝送経路と，
前記特定の信号より高い周波数帯の信号を通過させるフィルタ手段を備えた第３の伝送経路と，が並列に接続され，
前記第２の伝送経路及び前記第３の伝送経路には，夫々にレベル調整手段を備えさせることによって，前記第２の伝送経路を通過する信号と，前記第３の伝送経路を通過する信号は，前記第１の伝送経路を通過する信号に対して個別にレベル調整可能にしたことを特徴としたフィルタ装置。
【請求項２】
請求項１に記載のフィルタ装置を備えたことを特徴としたテレビ受信用増幅装置。
【請求項３】
請求項１に記載のフィルタ装置若しくは請求項２に記載のテレビ受信用増幅装置を用いたことを特徴としたテレビ受信システム。
【発明の詳細な説明】
【技術分野】
【０００１】
本発明は，主にテレビ受信システムに利用されるフィルタ装置に関し，詳しくはそのフィルタ装置若しくは当該フィルタ装置を具備したテレビ受信用増幅装置，及びこれらの装置を用いたテレビ受信システムに関する。
【背景技術】
【０００２】
従来において，例えば特定の信号であるＵＨＦ帯の５０６〜５１２ＭＨｚの信号と，５６０ＭＨｚ以上の，近接する通過周波数帯域を受信するような場合，５０６〜５１２ＭＨｚの信号を通過帯域とする通過帯域フィルタ（以下ＢＰＦと表示する）と，５６０ＭＨｚ以上の信号を通過帯域とする高域フィルタ（以下ＨＰＦと表示する）によって混合するフィルタ装置がある。（例えば特許文献１参照）
また，前記５６０ＭＨｚ以上の信号だけでなく，特定の信号より低い周波数帯の信号もある場合は，前記特定の信号以外の信号を通過させるバンドエルミネイトフィルター（以下ＢＥＰと表示する）と混合するようフィルタ装置を構成するのが一般的であった。
【０００３】
【特許文献１】実公昭６３−１４５７号公報
【発明の開示】
【発明が解決しようとする課題】
【０００４】
ところが近年において，従来の地上アナログ放送の特定の信号を受信している地域において，送信アンテナを地上アナログ放送の送信塔と同一方向若しくは同一送信塔とする，地上ディジタル放送が始まり，地上アナログ放送と地上ディジタル放送とのサイマル放送が行われるようになる。これによって特定の信号である地上アナログ放送と，当該特定の信号に近接する周波数帯域を利用した地上ディジタル放送との信号が同一方向から到来することになり，受信チャンネル数が増えることになる。
更に，地上ディジタル放送においては，従来の地域放送を超えた広範囲のサービスエリアを対象とするために，該放送の信号を送信する送信塔が，地域放送を目的とする従来の地上アナログ放送の信号を送信する送信塔より高くなり，また送信チャンネルも増えることから，前記特定の信号である地上アナログ放送を受信していた地域においては，地上ディジタル放送の電力は，従来の地上アナログ放送の信号に比べて強くなる。また，将来的には，地上アナログ放送は終了する事になっている。
【０００５】
このような信号を伝送するにあたって，従来のフィルタ装置によると，特定の信号の周波数帯は低損失で通過させ，特定の信号以外の周波数帯も低損失で通過させて，合成するフィルタ装置が提供されているが，例えば特定の信号以外の周波数帯のレベルを調整して通過させるよう必要が生じた場合であっても，レベル調整ができなかった。
【０００６】
また，地上アナログ放送の特定の信号を受信するシステムであって，例えば山の陰や建造物の陰のように，到来電波の弱い地域において，前記特定の信号を受信するためのテレビ受信用増幅装置を設置しているテレビ受信システムでは，当該テレビ受信用増幅装置には，従来の地上アナログ放送波の信号だけでなく，多チャンネルの地上ディジタル放送の信号が新たに入力されることによって，前記従来のようなフィルタ装置を備えたテレビ受信システムでは，前記テレビ受信用増幅装置の入力レベルが高くなることで，当該テレビ受信用増幅装置で増幅される信号が歪み，受信画面に妨害が発生すると言った問題の発生が考えられる。
この対策として，例えば地上アナログ放送の特定の信号のみを通過するバンドパスフィルタからなるフィルタ装置を接続して対策する方法も考えられるが，地上アナログ放送から地上ディジタル放送に変更したい場合や，地上アナログ放送が終了した時点において，改めてフィルタの変更工事をしないと，地上ディジタル放送が見ることができないといった問題があった。
そこで本発明においては，こうした問題点を解決するためになされたものであり，
その目的は，特定の信号の周波数帯は低損失で通過させ，特定の信号より低い周波数帯の信号と，特定の信号より高い周波数帯の信号とを，夫々所定量だけレベルを下げて通過させるさせるフィルタ装置を提供することにある。
他の目的は，同一方向から到来する信号の周波数帯であって，特定の信号の周波数帯は低損失で通過させ，特定の信号より低い周波数帯の信号と，特定の信号より高い周波数帯の信号とを，夫々所定量だけレベルを下げて通過させるフィルタ装置を提供することにある。
他の目的は，特定の信号の周波数帯は低損失で通過させ，特定の信号より低い周波数帯の信号と，特定の信号より高い周波数帯の信号とを，夫々所定量だけレベルを下げて通過させるさせるフィルタ装置を内蔵させたテレビ受信用増幅装置を提供することに有る。
他の目的は，特定の信号の周波数帯は低損失で通過させ，特定の信号より低い周波数帯の信号と，特定の信号より高い周波数帯の信号とを，夫々所定量だけレベルを下げて通過させるさせる簡単な構成のテレビ受信システムを提供することに有る。
【課題を解決するための手段】
【０００７】
上記課題を解決するために，請求項１の発明は，フィルタ装置において，入力端子と出力端子とを有し，前記入力端子と出力端子との間には，特定の信号の周波数帯を通過させるフィルタ手段を備えた第１の伝送経路と，前記特定の信号より低い周波数帯の信号を通過させるフィルタ手段を備えた第２の伝送経路と，前記特定の信号より高い周波数帯の信号を通過させるフィルタ手段を備えた第３の伝送経路と，が並列に接続され，前記第２の伝送経路及び前記第３の伝送経路には，夫々にレベル調整手段を備えさせることによって，前記第２の伝送経路を通過する信号と，前記第３の伝送経路を通過する信号は，前記第１の伝送経路を通過する信号に対して個別にレベル調整可能に構成される。
【０００８】
請求項２の発明は，請求項１に記載のフィルタ装置を備えさせてテレビ受信用増幅装置を構成した。
【０００９】
請求項３の発明は，請求項１に記載のフィルタ装置若しくは請求項２に記載のテレビ受信用増幅装置を用いてテレビ受信システムを構成した。
【発明の効果】
【００１０】
以上詳述したように，請求項１の発明によれば，フィルタ装置において，入力端子と出力端子とを有し，前記入力端子と出力端子との間には，特定の信号の周波数帯を通過させるフィルタ手段を備えた第１の伝送経路と，前記特定の信号より低い周波数帯の信号を通過させるフィルタ手段を備えた第２の伝送経路と，前記特定の信号より高い周波数帯の信号を通過させるフィルタ手段を備えた第３の伝送経路と，が並列に接続され，前記第２の伝送経路及び前記第３の伝送経路には，夫々にレベル調整手段を備えさせることによって，前記第２の伝送経路を通過する信号と，前記第３の伝送経路を通過する信号は，前記第１の伝送経路を通過する信号に対して個別にレベル調整可能に構成したので，
特定の信号の周波数帯は低損失で通過させ，前記特定の信号以外の周波数帯の信号であって，前記特定の信号より低い周波数帯の信号と，前記特定の信号より高い周波数帯の信号とを，それぞれの受信地域における状況によって個別にレベル調整することによって，適宜レベル調整して通過させることができるので，特定の信号に対して，該特定の信号以外の信号レベルを個別に揃えたり下げたり，相対的に可変できるフィルタ装置を提供できる。
【００１１】
請求項２の発明によれば，請求項１に記載の前記フィルタ装置を備えさせてテレビ受信用増幅装置を構成したので，
例えば特定の信号である地上アナログ放送を受信するシステムであって，山の陰や，建造物の陰などのように到来電波の弱い地域において，前記電波の弱い特定の信号を受信するためのテレビ受信用増幅装置を設置しているテレビ受信システムでは，当該システムを設置している地域において，新たな放送である例えば地上ディジタル放送のような放送が開始され，当該放送の信号が従来の地上アナログ放送と近接した周波数帯を用い，前記地上アナログ放送の電波と同一方向から到来し，加えて地上アナログ放送よりレベルが高い信号を受信する必要が生じた場合であっても，従来の地上アナログ放送波の信号は通過損失を出来るだけ少なく伝送し，更に，該地上アナログ放送波より低い周波数帯にある地上ディジタル放送波と，該地上アナログ放送波より高い周波数帯にある地上ディジタル放送波を含む信号を，夫々所定レベルまで個別に調整することによって，増幅装置に入力される入力レベルを最適化することができ，増幅装置で増幅される信号が歪むことで受信画面に妨害が発生する問題に素早く対応可能なテレビ共同受信用増幅装置を提供することができるのである。
【００１２】
請求項３の発明によれば，請求項１に記載のフィルタ装置若しくは請求項２に記載のテレビ受信用増幅装置を用いてテレビ受信システムを構成したので，
特定の信号である地上アナログ放送を受信するシステムであって，山の陰や，建造物の陰などのように到来電波の弱い地域において，前記特定の信号を受信するためのテレビ受信用増幅装置を設置しているテレビ受信システムでは，当該システムを設置している地域において，新たな放送である例えば地上ディジタル放送のような放送が開始され，当該放送の信号が従来の地上アナログ放送と近接した周波数帯を用い，前記地上アナログ放送の電波と同一方向から到来し，加えて地上アナログ放送よりレベルが高い信号を受信する必要が生じた場合であっても，従来の地上アナログ放送波の信号は通過損失を出来るだけ少なく伝送し，更に，該地上アナログ放送波より低い周波数帯にある地上ディジタル放送波と，該地上アナログ放送波より高い周波数帯にある地上ディジタル放送波を含む信号を，夫々所定レベルまで個別に調整することによって，増幅装置に入力される入力レベルを最適化することができ，増幅装置で増幅される信号が歪むことで受信画面に妨害が発生する問題に素早く対応可能なテレビ共同受信システムを提供することができるのである。
【発明を実施するための最良の形態】
【００１３】
以下に，本発明を具体化した実施形態の例を，図面を基に詳細に説明する。図１は本発明に示すフィルタ装置の実施例を示すブロック図であり，図２は図１に示すフィルタ装置の具体的構成例を示す。図３は本発明に係るフィルタ装置の周波数特性を示す。図４は本発明のテレビ受信用増幅装置のブロック図を示す。図５は本発明に係るフィルタ装置を用いたテレビ受信システムを示している。
【実施例】
【００１４】
図１において，３は本発明の実施例のフィルタ装置であり，３ａは入力端子，３ｂは出力端子である。
入力端子３ａには，３０ａに示す特定の信号を通過帯域とするフィルタ手段（例えばバンドパスフィルタ（ＢＰＦ）。以下ＢＰＦと記載する。）３１から構成される第１の伝送経路と，３０ｂに示すレベル調整手段３２と前記特定の信号より低い周波数帯の信号を通過帯域とするフィルタ手段（例えばローパスフィルタ（ＬＰＦ）。以下ＬＰＦと記載する。）３３とから構成される第２の伝送経路と，３０ｃに示すレベル調整手段３５と前記特定の信号より高い周波数帯の信号を通過帯域とするフィルタ手段（例えばハイパスフィルタ（ＨＰＦ）。以下ＨＰＦと記載する。）３６とから構成される第３の伝送経路と，が並列に接続されている。
【００１５】
次に，このフィルタ装置３の動作について図１及び図２に基づいて具体的に説明する。特定の信号として例えば信号レベルの低いＵＨＦ帯のｃｈ１９の信号が，特定の信号より低い周波数帯の信号として例えば信号レベルの強いＵＨＦ帯のｃｈ１３〜１７の信号が，特定の信号より高い周波数帯の信号として信号レベルの強いｃｈ２４以上の信号が，入力端子３ａに入力される。（以下  ＵＨＦ帯は省略する）
ｃｈ１９は，このチャンネルを通過帯域とするＢＰＦ３１で構成された第１の伝送経路３０ａを通過した後に出力端子３ｂに出力される。
【００１６】
次に第２の伝送経路３０ｂの説明をする。入力端子３ａから入力された信号は３３ａに示すフィルタ手段を通過した後に，３２に示すレベル調整手段に入力される，このレベル調整手段３２は例えば切換手段であるスイッチ３２ａ，３２ｂと，５ｄＢアッテネータ３２ｃと１０ｄＢアッテネータ３２ｄとでもって構成されており，前記スイッチ３２ａ，３２ｂの切換えによって，例えば０ｄＢ，５ｄＢ，１０ｄＢ，１５ｄＢと選択的に切換可能に構成されており，このレベル調整手段３２を通過した信号は，フィルタ手段３３ｂに入力される。
このフィルタ手段３３ａ，３３ｂは例えばＬＰＦで構成されており，前記特定の信号及びこの特定の信号より高い周波数帯の信号を阻止すると共に，前記特定の信号より低い周波数帯の信号であるｃｈ１３〜１７を通過させて出力端子３ｂから出力される。
【００１７】
次に第３の伝送経路３０ｃの説明をする。入力端子３ａに入力された信号は３６ａに示すフィルタ手段を通過した後に，３５に示すレベル調整手段に入力される，このレベル調整手段３５は例えば切換手段であるスイッチ３５ａ，３５ｂと，５ｄＢアッテネータ３５ｃと１０ｄＢアッテネータ３５ｄとでもって構成されており，前記スイッチ３５ａ，３５ｂの切換えによって，例えば０ｄＢ，５ｄＢ，１０ｄＢ，１５ｄＢと選択的に切換可能に構成されており，このレベル調整手段３５を通過した信号は，フィルタ手段３６ｂに入力される。
このフィルタ手段３６ａ，３６ｂは例えばＨＰＦで構成されており，前記特定の信号及びこの特定の信号より低い信号を阻止すると共に，前記特定の信号より高い周波数帯の信号であるｃｈ２４以上のＵＨＦ帯の信号を通過させて出力端子３ｂから出力される用に構成されている。
【００１８】
このようにして，第１の伝送経路３０ａを通過したｃｈ１９と，第２の伝送経路３０ｂを通過したレベル調整手段３２によって所定レベルだけ減衰させられたｃｈ１３〜ｃｈ１７と，第３の伝送経路３０ｃを通過したレベル調整手段３５によって所定レベルだけ減衰させられたｃｈ２４以上のＵＨＦ帯の信号は，出力端子３ｂから合成されて出力される。
これによって，例えばレベルの低い特定の信号であるｃｈ１９と，レベルが高い特定の信号以外の信号であるｃｈ１３〜ｃｈ１７及びｃｈ２４以上の信号とを伝送する場合などにおいて，必要に応じてｃｈ１３〜ｃｈ１７及びｃｈ２４以上の信号を，それぞれの伝送経路に具備させたレベル調整手段３２及び３５によって，特定の信号（この場合はｃｈ１９）のレベルに対してレベルを揃えたり，特定の信号のレベルより下げたりして伝送できるフィルタ装置３が提供できるのである。
尚，図２にはフィルタ手段３１，３３及び３６の具体的な実施形態を示しており，Ｃ１〜Ｃ９はコンデンサーであり，Ｌ１〜Ｌ９はコイルである。
【００１９】
図３に，上記実施例のフィルタ装置３の周波数特性を示す。この図において，１１は第１の伝送経路３０ａの周波数特性を示し，１２は第２の伝送経路３０ｂの周波数特性を示し，１３は第３の伝送経路３０ｃの周波数特性を示している。
このように本発明のフィルタ装置３によれば，特定の周波数の信号に対して，特定の信号以外の信号を夫々適宜にレベル調整を行う事ができるのである。
尚，本発明の実施例においては，第１の伝送経路３０ａのフィルタ手段３１はＢＰＦで構成され，第２の伝送経路のフィルタ手段３３はＬＰＦで構成され，第３の伝送経路のフィルタ手段３６はＨＰＦで構成した例を示したが，特にこの実施例に限定されるものではない。
【００２０】
次に上記フィルタ装置を備えたテレビ受信システム１０３について図４を用いて説明する。この図４において，１０１は従来からある地上アナログ放送用のＵＨＦ帯の送信塔，１０２は新しく設置された地上ディジタル放送用のＵＨＦ帯の送信塔である。
１はＶＨＦアンテナであり伝送線２ａを介して，テレビ受信用増幅装置４のＶＨＦ入力端子１ａに入力されている。６はＵＨＦアンテナであり，伝送線２ｂ，本発明のフィルタ装置３を介して，テレビ受信用増幅装置４のＵＨＦ入力端子６ａに入力されている。
【００２１】
前記テレビ受信用増幅装置４に入力されたそれぞれの信号は所定レベルまで増幅された後，混合されてから出力される。出力された信号は伝送線２ｃ，分配器５，伝送線２ｄ，テレビ端子７ａ，伝送線２ｅ，電源装置８を介してテレビ受像機９に接続されている。
【００２２】
次に，このテレビ受信システム１０３について具体的に説明する。送信塔１０１は地上アナログ放送用の送信塔であり，ＵＨＦ帯を利用した地域放送を行っている。本発明のテレビ受信システムは，この地上アナログ放送のサービスエリアから少し離れた地域や，山や建築物等の陰となる地域のように受信電界強度の弱い地域で，前記地上アナログ放送を受信するためのシステムである。
地上アナログ放送の送信塔１０１からは，例えばＵＨＦ帯のｃｈ１９が送信されている。この信号を受信するために，上述に示すような本来のサービスエリアではない地域や，山陰等の弱電界地域においては，テレビ受信用増幅装置４を設置して，目的とする地上アナログ放送を受信している。電波はＵＨＦ受信用アンテナ６で受信された後に，伝送線２ｂを介してテレビ受信用増幅装置４のＵＨＦ入力端子６ａから当該増幅装置に入力され適宜増幅されてからテレビ受像機９に接続されている。
【００２３】
ところが，図１の１０２に示すように，同一方向若しくは同一送信塔から，地上アナログ放送の周波数帯と近接した周波数帯を使用した地上ディジタル放送のような放送波が新しく送信されるようになった場合，前記地上アナログ放送の信号に加えて，地上ディジタル放送の信号分のチャンネル数が増える。更に地上ディジタル放送の特長である広範囲な地域へのサービスを可能にするため，地上ディジタル放送の送信塔１０２は，地上アナログ放送の送信塔１０１の高さより高く設置されることもあり，受信点における地上ディジタル放送の信号レベルは，地上アナログ放送に比べてより強いものとなる。
【００２４】
このような地上アナログ放送の信号と地上ディジタル放送の信号は，ＵＨＦテレビアンテナ６によって受信され，伝送線２ｂを介してフィルタ装置３の入力端子３ａに入力される。
入力された信号のうち，特定の信号である地上アナログ放送の信号（本発明の実施例では例えばｃｈ１９）は，第１の伝送経路３０ａのＢＰＦ３１を通過する。
また，前記特定の信号より低い周波数帯である地上ディジタル放送の信号（本発明の実施例では例えばｃｈ１３〜１７）は，第２の伝送経路３０ｂのＬＰＦ３３を通過する。
更に，前記特定の信号より高い周波数帯である地上ディジタル放送の信号を含む信号（本発明の実施例では例えばｃｈ２４以上の信号）は，第３の伝送経路３０ｃのＨＰＦ３５を通過する。
そして，第１の信号経路３０ａと第２の信号経路３０ｂと第３の信号経路３０ｃを通過した信号は合成されて，出力端子３ｂから出力される。出力された信号は，テレビ受信用増幅装置４のＵＨＦ入力端子６ａから該増幅装置に入力される。この時，後から追加された信号，例えば地上ディジタル放送の信号の入力レベルによっては，前記テレビ受信用増幅装置４が入力オーバーとなり，受信画像に妨害が出る場合が考えられる。
【００２５】
実験的に求められた数値で言えば，地上アナログ放送の信号に対して，地上ディジタル放送の信号の方が＋１０ｄＢ程度高い場合は，テレビ受信用増幅装置４に備えられた利得調整回路（図示されていない）の調整によって，歪みの無い受信が可能であるが，地上ディジタル放送の信号が＋１０ｄＢ以上高い場合は，テレビ受信用増幅装置４での対応に加えて，後から加えられた地上ディジタル放送の信号等を適正レベルに調整しないと，受信画像に妨害が発生する。
本発明のフィルタ装置３を備えたテレビ受信システム１０３によれば，特定の信号である地上アナログ放送のｃｈ１９を通過させる第１の信号経路３０ａと，特定の信号より低い周波数帯の信号である地上ディジタル放送のｃｈ１３〜１７と，前記特定の信号より高い周波数帯の信号である地上ディジタル放送を含むｃｈ２４以上の信号とを並列接続させ，且つ，前記第２の伝送経路３０ｂと，前記第３の伝送経路３０ｃとには夫々レベル調整手段を備えさせたので，上述のように地上ディジタル放送の信号が高すぎる場合であっても，レベル調整手段によって特定の信号以外の信号のレベルを夫々所定レベル以下に減衰させることによって，テレビ受信用増幅装置４の入力オーバーを防止できるのである。
【００２６】
更に，上述のような新しく地上ディジタル放送が始まることで，当該地上ディジタル放送による妨害が出た地域において，従来からの地上アナログ放送であるｃｈ１９を見るために，伝送線にｃｈ１９専用バンドパスフィルタを介設する対策をする場合と比較すると，専用バンドパスフィルタでの対策では地上ディジタル放送を受信したい場合は，改めて改修工事をする必要が生じるのに対して，本発明のフィルタ装置３を用いて予め工事しておけば，いつでも地上ディジタル放送の受信（地上アナログ放送の隣接チャンネルを除く。本発明の例ではｃｈ１８）に変更が出来る汎用性を備えることが出来るのである。
【００２７】
尚，本発明において，第１の伝送経路３０ａは，特定の信号であるＵＨＦ帯を通過帯域とし，第２の伝送経路３０ｂは，特定の信号より低い周波数帯の信号であるＵＨＦ帯を通過帯域として示し，第３の伝送経路３０ｃは，特定の信号より高い周波数帯の信号であるＵＨＦ帯を通過帯域として例示し，それぞれの代表例として，特定の信号を地上アナログ放送のｃｈ１９，特定の信号より低い周波数帯の信号を地上ディジタル放送のｃｈ１３〜ｃｈ１７，特定の信号より高い周波数帯の信号を地上ディジタル放送の信号を含むｃｈ２４以上としたが，これらに限定されるものではなく，利用する周波数帯域や，信号の内容等については適宜最適なものに変更してもよいことは言うまでも無い。またフィルタ手段は夫々必要とする信号を通過するように構成されていれば例えばフィルタ手段３１をＬＰＦとＨＰＦの組合せで構成しても良いなど上記実施例に限定されるものではない。。
更に，本発明の実施例のように前記レベル調整手段３２，３５は，５ｄＢステップで可変可能にしても良いし，連続的に可変できるようにしても良いし，例えばレベル調整手段３２の内の一方を１０ｄＢの固定減衰器にして，他方を可変可能に構成しても良い。
更に図５に示す実施形態の如く，本発明に係るフィルタ装置３と増幅回路４０ａ，４０ｂとを例えば同一基板上に配設してテレビ受信用増幅装置４０を構成しても良い（尚，増幅回路の構成は実施例を示すためのものでありこの実施例に限定されるものではない。）など，本願の趣旨を逸脱しない範囲で各部の構成を適宜に変更してもよいことは言うまでもない。
【図面の簡単な説明】
【００２８】
【図１】本発明に示すフィルタ装置の実施例を示すブロック図である。
【図２】図に示すフィルタ装置の具体的構成例である。
【図３】本発明に係るフィルタ装置の周波数特性の例である。
【図４】本発明のフィルタ装置を用いたテレビ受信システムである。
【図５】本発明に係るテレビ受信用増幅装置のブロック図を示す。
【符号の説明】
【００２９】
１…ＶＨＦテレビアンテナ，１ａ…ＶＨＦ入力端子，２ａ・２ｂ・２ｃ・２ｄ・２ｅ…伝送線，３…フィルタ装置，３ａ…入力端子，３ｂ…出力端子，４・４０…テレビ受信用増幅装置，４０ａ・４０ｂ…増幅回路，５…分配器，６…ＵＨＦテレビアンテナ，６ａ…ＵＨＦ入力端子，７ａ・７ｂ・７ｃ・７ｄ…テレビ端子，８…電源装置，９…テレビ受像機，１０…分岐手段，１１…第１の伝送線路の周波数特性，１２…第２の伝送経路の周波数特性，１３…第３の伝送線路の周波数特性，３０ａ…第１の伝送線路，３０ｂ…第２の伝送線路，３０ｃ…第３の伝送経路，３１…フィルタ手段（ＢＰＦ），３２…レベル調整手段，３２ａ・３２ｂ…スイッチ手段，３２ｃ・３２ｄ…アッテネーター，３３…フィルタ手段（ＬＰＦ），３５…レベル調整手段，３５ａ・３５ｂ…スイッチ手段，３５ｃ・３５ｄ…アッテネーター，３６…フィルタ手段（ＨＰＦ），１０１…地上アナログ放送送信塔，１０２…地上ディジタル放送送信塔，１０３…テレビ受信システム。
【図１】
2006042084.tif 000003
【図２】
2006042084.tif 000004
【図３】
2006042084.tif 000005
【図４】
2006042084.tif 000006
【図５】
2006042084.tif 000007